(57)【要約】【課題】缶蓋をプッシャにて押しながら安定して搬送することが可能な缶シーマの缶蓋搬送装置を提供する。【解決手段】缶蓋２０１を収容する複数のポケット６ａが外周に並べて設けられたカバーフィードターレット６を有し、カバーフィードターレット６を回転させて各ポケット６ａに取り込まれた缶蓋２０１を、シーミングターレットに取り込まれる缶胴上まで搬送する缶シーマの缶蓋搬送装置１において、カバーフィードターレット６の各ポケット６ａの回転方向後端側に、缶蓋２０１の外周２０１ａに回転方向の後方から接触するプッシャ３０をその取付部３１がカバーフィードターレット６の上面と重ね合わされるようにして取り付ける。プッシャ３０の下端側には、取付部３１よりも下方に延ばされてポケット６ａの内周面と重なり合う舌部３２ａを設ける。【選択図】図３
2010155636.tif 000002
【特許請求の範囲】
【請求項１】
缶蓋を収容する複数のポケットが外周に並べて設けられたカバーフィードターレットを有し、前記カバーフィードターレットを回転させて各ポケットに取り込まれた缶蓋を、シーミングターレットに取り込まれる缶胴上まで搬送する缶シーマの缶蓋搬送装置であって、
前記カバーフィードターレットの各ポケットの回転方向後端側には、前記缶蓋の外周に前記回転方向の後方から接触するプッシャがその取付部を前記カバーフィードターレットの上面と重ね合わせるようにして取り付けられ、前記プッシャの下端側には、前記取付部よりも下方に延ばされて前記ポケットの内周面と重なり合う舌部が設けられている缶シーマの缶蓋搬送装置。
【請求項２】
前記ポケットの内周面には不活性ガスを缶胴内に導入するためのガス導入穴が開口し、前記舌部は前記ガス導入穴よりも上方の領域に限って設けられている請求項１に記載の缶蓋搬送装置。
【請求項３】
前記舌部の前記ポケット内周面からの突出量が下方に向かうほど減少する請求項１又は２に記載の缶蓋搬送装置。
【発明の詳細な説明】
【技術分野】
【０００１】
本発明は、缶胴の上端部に缶蓋を巻き締めて固定する缶シーマの缶蓋搬送装置に関する。
【背景技術】
【０００２】
缶胴に缶蓋を巻き締め固定する缶シーマの一部を構成する装置として、カバーフィードターレットの外周に設けられた半円弧状のポケット（ガイド溝）に缶蓋を一枚ずつ取り込み、カバーフィードターレットの回転を利用して各缶蓋をポケット内のプッシャ（押送部）にて背後から押しながらシーミングターレットの缶胴取り込み位置まで順次搬送し、その缶胴取り込み位置にて缶蓋をポケットから缶胴上に載置する缶蓋搬送装置が知られている（例えば特許文献１参照）。
【０００３】
【特許文献１】特開平４−１０５７３３号公報
【発明の開示】
【発明が解決しようとする課題】
【０００４】
従来の缶蓋搬送装置においては、ポケットの上端付近で缶蓋の外周を保持し、プッシャはカバーフィードターレットの上面側に取り付けられていることがある。この場合、従来のプッシャはそのカバーフィードターレットに対する取付部から上方に限定して延ばされているため、ポケットの内周面側に缶蓋がずれたときに缶蓋がプッシャの下方に潜り込み、缶蓋の缶胴への供給に異常が発生する等の不具合が生じることがあった。
【０００５】
そこで、本発明は缶蓋をプッシャにて押しながら安定して搬送することが可能な缶シーマの缶蓋搬送装置を提供することを目的とする。
【課題を解決するための手段】
【０００６】
本発明の缶蓋搬送装置は、缶蓋（２０１）を収容する複数のポケット（６ａ）が外周に並べて設けられたカバーフィードターレット（６）を有し、前記カバーフィードターレットを回転させて各ポケットに取り込まれた缶蓋を、シーミングターレット（１０５）に取り込まれる缶胴（２００）上まで搬送する缶シーマの缶蓋搬送装置（１）であって、前記カバーフィードターレットの各ポケットの回転方向後端側には、前記缶蓋の外周（２０１ａ）に前記回転方向の後方から接触するプッシャ（３０）がその取付部（３１）を前記カバーフィードターレットの上面と重ね合わせるようにして取り付けられ、前記プッシャの下端側には、前記取付部よりも下方に延ばされて前記ポケットの内周面と重なり合う舌部（３２ａ）が設けられているものである。
【０００７】
本発明の缶蓋搬送装置によれば、プッシャの舌部が、プッシャの取付部よりも下方に延ばされてポケットの内周面と重なり合っているので、取付部よりも上方に限定してプッシャを設けた場合と比較して、プッシャが缶蓋の外周と接触し得る範囲を下方に拡大することができる。それにより、プッシャの下方に缶蓋が潜り込むおそれを低減して、缶蓋を安定的に搬送し、缶蓋のずれに起因する不具合の発生を抑えることができる。
【０００８】
本発明の一形態において、前記ポケットの内周面には不活性ガスを缶胴内に導入するためのガス導入穴（２４）が開口し、前記舌部は前記ガス導入穴よりも上方の領域に限って設けられてもよい。缶蓋はガス導入穴よりも上方の領域に保持されるので、その上方の領域に舌部が存在すれば缶蓋との接触には必要にして十分である。
【０００９】
また、前記舌部の前記ポケット内周面からの突出量を下方に向かうほど減少させてもよい。缶胴が缶胴に載せられる領域ではプッシャもまた缶胴に接近するが、舌部の突出量が下方ほど減少している場合には、舌部と缶胴とが接触するおそれが低減される。
【００１０】
なお、以上の説明では本発明の理解を容易にするために添付図面の参照符号を括弧書きにて付記したが、それにより本発明が図示の形態に限定されるものではない。
【発明の効果】
【００１１】
以上に説明したように、本発明によれば、プッシャに、その取付部よりも下方に延ばされてポケットの内周面と重なり合う舌部を設けたので、プッシャの下方に缶蓋が潜り込むおそれを低減して、缶蓋を安定的に搬送し、缶蓋のずれに起因する不具合の発生を抑えることができる。
【発明を実施するための最良の形態】
【００１２】
図１は本発明の一形態に係る缶蓋搬送装置が組み込まれた缶シーマの概略を示している。缶シーマ１００は、缶蓋搬送装置としてのカバーフィード部１、シーマ本体１０１及びディスチャージターレット１０２を備えている。搬入コンベア１０３にて図中の矢印Ｆ方向に搬送される缶胴２００は、シーマ本体１０１に設けられたリフタープレート１０４上に搬入され、シーミングターレット１０５により図中の矢印Ｒｓ方向に搬送される。カバーフィード部１にはシーミングターレット１０５と平行な軸線を中心として回転するカバーフィードターレット６が設けられている。カバーフィードターレット６は、その外周に複数のポケット６ａを有している。ポケット６ａは概略半円筒状である。
【００１３】
各ポケット６ａには、缶蓋マガジン１０６から缶蓋２０１が順次供給される。缶蓋２０１は、ポケット６ａの上端部に保持されつつカバーフィードターレット６の回転に伴って図中の矢印Ｒｇ方向に搬送される。リフタープレート１０４に対する缶胴２００の取り込み位置にて缶蓋２０１が缶胴２００の上部に被せられる。これと同期して、カバーフィードターレット６のポケット６ａ内から缶胴２００内のヘッドスペースに不活性ガスが吹き込まれる。この後、缶蓋２０１はシーミングチャック１０７及びノックアウトパッド１０８によって缶胴２００の上端開口部に嵌め合わされ、続いて、第１のシーミングロール１０９及び第２のシーミングロール１１０により缶胴２００に巻き締められる。缶蓋２０１が巻き締められた缶胴２００はシーミングターレット１０５からディスチャージターレット１０２へと渡されて図中の矢印Ｒｄ方向に搬送され、さらにそのディスチャージターレット１０２から搬出コンベア１１１へと搬出される。なお、カバーフィードターレット６は、不活性ガスを供給する機能を備えているために、ガスターレットと呼ばれることがある。
【００１４】
図２は、缶シーマ１００のカバーフィード部１を中心とした部分断面図である。カバーフィード部１にはスピンドル１０が設けられている。スピンドル１０は缶シーマ１００のフレーム１１に軸受１２、１３を介して回転自在に取り付けられ、不図示の駆動機構により上下方向の軸線ＣＬ１を中心として回転駆動される。カバーフィードターレット６は、そのスピンドル１０の下端部に一体回転可能に取り付けられて抜け止め部１４により軸線方向に固定されている。カバーフィードターレット６の一方の側（図２では右側）には、缶蓋供給ユニット１５が設けられている。缶蓋供給ユニット１５は、図１に示す缶蓋マガジン１０６を含み、その缶蓋マガジン１０６から缶蓋２０１を一枚ずつ取り出してカバーフィードターレット６のポケット６ａに供給する。さらにカバーフィードターレット６には、ポケット６ａに取り込まれた缶蓋２０１を押すためのプッシャ３０がポケット６ａ毎に設けられている。プッシャ３０の詳細は後述する。カバーフィード部１には、ポケット６ａ内に不活性ガスを供給する機構が組み込まれているが、その図示は省略した。
【００１５】
カバーフィードターレット６の他方の側（図２では左側）には、図１に示すシーマ本体１０１が配置されている。そのシーマ本体１０１にはメインスピンドル１８が設けられている。シーミングターレット１０５は、そのメインスピンドル１８の外周に一体回転可能に取り付けられ、その外周には缶胴２００を受け入れるポケット１８ａが周方向に一定のピッチで設けられている。シーマ本体１０１のリフタープレート１０４上に搬入された缶胴２００は、ポケット１８ａに取り込まれ、メインスピンドル１８の回転駆動により軸線ＣＬ２の回りに搬送される。ポケット１８ａの上方には、シーミングスピンドル２０がさらに設けられている。シーミングスピンドル２０は、リフタープレート１０４に搭載される缶胴２００と同軸上に位置し、軸受２１により軸線ＣＬ３の回りに回転自在に支持されている。カバーフィードターレット６から缶胴２００上に缶蓋２０１が供給されると、リフタープレート１０４が上昇して缶蓋２０１にシーミングスピンドル２０が押し当てられる。その状態で、シーミングスピンドル２０の軸線ＣＬ３の回りに回転駆動されることにより、缶胴２００と缶蓋２０１とが軸線ＣＬ３の回りに回転してシーミングロール１０９、１１０（図１参照）による缶蓋２０１の巻き締めが行われる。
【００１６】
図３は、カバーフィードターレット６の外周を斜め下方から見た状態を示している。カバーフィードターレット６は、フィードプレート２２の上面にカバー２３を重ね合わせた構成を有している。ポケット６ａの内部には、不活性ガスを導入するための多数のガス導入穴２４がポケット６ａの周方向に沿って並ぶように開口している。これらのガス導入穴２４は、フィードプレート２２の上面側に設けられた溝部をカバー２３で上方から閉じることによって形成されている。ポケット６ａの奥側には缶蓋保持溝２５ａを有する保持プレート２５が設けられている。一方、カバーフィードターレット６の回転方向（矢印Ｒｇ方向）に関してポケット６ａの後端側には上述したプッシャ３０が取り付けられている。プッシャ３０はカバー２３の上面に取り付けられている。ポケット６ａに取り込まれた缶蓋２０１は、その外周２０１ａがポケット６ａの奥側にて保持プレート２５の缶蓋保持溝２５ａに嵌め込まれ、かつ回転方向後端側がプッシャ３０に突き当てられることによりポケット６ａ内でかつガス導入穴２４よりも上方の位置に保持される。ポケット６ａ内に保持されている缶蓋２０１の外周２０１ａは、カバー２３の上面よりも上方の位置に保持される。
【００１７】
図４及び図５は、プッシャ３０の付近の拡大図である。プッシャ３０は、カバー２３の上面に取り付けられるプレート状の取付部３１と、その取付部３１の一端に一体に設けられた当接部３２とを有している。取付部３１は、その下面側に設けられた凸部３１ａがカバー２３の上面の凹部２３ａに嵌め合わされることにより、ポケット６ａの半径方向に移動不能な状態でカバー２３に固定されている。一方、当接部３２は、取付部３１の一端から上下方向に延ばされ、かつポケット６ａの半径方向に関してはポケット６ａの内周面よりも内側に突出する。当接部３２の取付部３１よりも下側の領域は、カバー２３の上面よりも下方に延びてポケット６ａの内周面に重ね合わされる舌部３２ａとして設けられている。舌部３２ａは、フィードプレート２２とカバー２３との接合位置（図中にＰ−Ｐ線で示す。）とほぼ同程度まで下方に延ばされている。言い換えれば、舌部３２ａはガス導入穴２４よりも上方の領域に限って設けられている。舌部３２ａの厚さは下方ほど薄くなるように設定されている。つまり、カバー２３の上面から下方に向かうほど舌部３２ａのポケット６ａの内周面からの舌部３２ａの突出量が減少する。
【００１８】
以上の構成によれば、プッシャ３０の当接部３２に舌部３２ａが設けられることにより、取付部３１から上方に限って当接部３２を設ける場合と比較して、プッシャ３０が缶蓋２０１の外周と当接し得る範囲をそのプッシャ３０の取付部３１よりも下方に拡大することができる。これにより、プッシャ３０にて缶蓋２０１の外周を押し込む際に、缶蓋２０１が滑ってプッシャ３０よりも下方へ潜り込むおそれを低減することができる。そのため、搬送途中での缶蓋２０１の安定性を高め、缶蓋２０１のプッシャ３０からの外れに起因する缶蓋２０１の供給不良といった不具合の発生を抑えることができる。舌部３２ａの厚さが下方ほど薄く設定されているため、缶蓋２０１を缶胴２００上に供給する際に、舌部３２ａが缶胴２００の外周に接するおそれを低減することができる。さらに、缶蓋２０１の外周２０１ａがガス導入穴２４よりも上方に保持されることに対応して、舌部３２ａもガス導入穴２４よりも上方の領域に限って設けられているので、舌部３２ａが缶蓋２０１の外周と接触するために必要にして十分な範囲に存在することとなり、無駄がない。
【００１９】
本発明は上述した形態に限ることなく、種々の形態にて実施することができる。例えば、プッシャ３０の取付部３１は、その取付相手となるカバーフィードターレット６の上面側の形状に応じて適宜に変形してよい。プッシャ３０の周方向の幅は適宜に設定してよい。舌部３２ａの幅を下方に向かうほど漸次減少させてもよい。本発明の缶蓋搬送装置が適用される缶シーマの構成も適宜に変更可能である。
【図面の簡単な説明】
【００２０】
【図１】本発明の一形態に係る缶蓋搬送装置が適用された缶シーマ装置の概要を示す斜視図。
【図２】缶シーマのカバーフィード部を中心とした部分断面図。
【図３】カバーフィードターレットの外周を斜め下方から見た状態を示す図。
【図４】プッシャの取付部分をポケットの外側から見た状態を示す図。
【図５】プッシャをポケットの内周と対向する側から見た状態を示す図。
【符号の説明】
【００２１】
１  カバーフィード部（缶蓋搬送装置）
６  カバーフィードターレット
６ａ  ポケット
２０  シーミングスピンドル
２２  フィードプレート
２３  カバー
２４  ガス導入穴
３０  プッシャ
３１  取付部
３２  当接部
３２ａ  舌部
１００  缶シーマ
１０１  シーマ本体
１０２  ディスチャージターレット
１０４  リフタープレート
１０５  シーミングターレット
１０６  缶蓋マガジン
１０７  シーミングチャック
１０８  ノックアウトパッド
１０９、１１０  シーミングロール
２００  缶胴
２０１  缶蓋
【図１】
2010155636.tif 000003
【図２】
2010155636.tif 000004
【図３】
2010155636.tif 000005
【図４】
2010155636.tif 000006
【図５】
2010155636.tif 000007